【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
種々の演出表示が可能な表示手段を備え、
前記表示手段とは異なる位置であり、かつ、遊技者が視認可能な位置に第１標章と第２標章とがそれぞれ個別に常時表示されている遊技機であって、 
前記第１標章は、機種名称の少なくとも一部を示す第１識別情報であり、
前記第２標章は、機種名称とは異なる第２識別情報であり、
前記第１標章の表示態様を、立体的かつ正面視で略水平状に表示される特定表示態様とし、
前記第２標章の表示態様は、平面的かつ正面視で非水平状に表示される非特定表示態様とした、
ことを特徴とする遊技機。
【請求項２】
前記第１標章は、複数文字で構成される文字標章であり、当該複数文字が１行で表示され、
前記第２標章は、複数文字で構成される文字標章であり、当該複数文字が２行以上または２列以上で表示される、
ことを特徴とする請求項１に記載の遊技機。
【請求項３】
前記第１標章は、複数文字で構成される文字標章であり、当該複数文字の文字間隔が略同一であり、
前記第２標章は、複数文字で構成される文字標章であり、当該複数文字のうち少なくとも一部の文字間隔が異なる、
ことを特徴とする請求項１または２に記載の遊技機。
【請求項４】
前記第１標章は、複数文字で構成される文字標章であり、当該複数文字の文字サイズが略同一であり、
前記第２標章は、複数文字で構成される文字標章であり、当該複数文字のうち少なくとも一部の文字サイズが異なる、
ことを特徴とする請求項１〜３のいずれかに記載の遊技機。
【請求項５】
前記第１標章は、複数文字で構成される文字標章であり、当該複数文字の文字フォントが略同一であり、
前記第２標章は、複数文字で構成される文字標章であり、当該複数文字のうち少なくとも一部の文字フォントが異なる、
ことを特徴とする請求項１〜４のいずれかに記載の遊技機。
【請求項６】
前記表示手段とは異なる位置であり、かつ、遊技者が視認可能な位置に、前記第１標章および前記第２標章とは異なる第３標章が常時表示されている遊技機であって、
前記第１標章は、少なくとも第１文字と第２文字とを含む２文字以上で構成される標章であり、
前記第３標章は、少なくとも第３文字と第４文字とを含む２文字以上で構成される標章であり、
前記第１標章と前記第３標章のいずれも、発光態様が変化可能に構成されるとともに、
前記第１標章は、前記第１文字と前記第２文字とを個別に発光可能に構成され、
前記第３標章は、前記第３文字と前記第４文字とを個別に発光不能に構成された、
少なくとも非遊技期間中における第１期間においては、前記第１標章における前記第１文字と前記第２文字をともに発光させる、
ことを特徴とする請求項１〜５のいずれかに記載の遊技機。
【請求項７】
前記表示手段とは異なる位置であり、かつ、遊技者が視認可能な位置に、前記第１標章および前記第２標章とは異なる第３標章が常時表示されている遊技機であって、
前記第１標章は、少なくとも第１文字と第２文字とを含む２文字以上で構成される標章であり、
前記第３標章は、少なくとも第３文字と第４文字とを含む２文字以上で構成される標章であり、
前記第１標章と前記第３標章のいずれも、発光態様が変化可能に構成されるとともに、
前記第１標章は、前記第１文字と前記第２文字とをそれぞれ異なる系統色で発光可能に構成され、
前記第３標章は、前記第３文字と前記第４文字とをそれぞれ異なる系統色で発光不能に構成され、
少なくとも非遊技期間中における第１期間においては、前記第１標章における前記第１文字と前記第２文字を同一系統色で発光させる、
ことを特徴とする請求項１〜６のいずれかに記載の遊技機。
【請求項８】
前記表示手段とは異なる位置に配置され、遊技の進行における所定のタイミングで変位可能な第４標章を備えた遊技機であって、
前記第１標章は、遊技の進行タイミングに関わらずその全体像が視認可能であり、
前記第４標章は、少なくとも遊技の進行における所定のタイミングにおいては、その全体像のうち少なくとも一部が視認不能である、
ことを特徴とする請求項１〜７のいずれかに記載の遊技機。
【手続補正２】
【補正対象書類名】明細書
【補正対象項目名】０００６
【補正方法】変更
【補正の内容】
【０００６】
本発明の上記目的は、下記の手段によって達成される。
（１）種々の演出表示が可能な表示手段を備え、
前記表示手段とは異なる位置であり、かつ、遊技者が視認可能な位置に第１標章と第２標章とがそれぞれ個別に常時表示されている遊技機であって、 
前記第１標章は、機種名称の少なくとも一部を示す第１識別情報であり、
前記第２標章は、機種名称とは異なる第２識別情報であり、
前記第１標章の表示態様を、立体的かつ正面視で略水平状に表示される特定表示態様とし、
前記第２標章の表示態様は、平面的かつ正面視で非水平状に表示される非特定表示態様とした、
ことを特徴とする遊技機。
（２）前記第１標章は、複数文字で構成される文字標章であり、当該複数文字が１行で表示され、
前記第２標章は、複数文字で構成される文字標章であり、当該複数文字が２行以上または２列以上で表示される、
ことを特徴とする上記（１）に記載の遊技機。
（３）前記第１標章は、複数文字で構成される文字標章であり、当該複数文字の文字間隔が略同一であり、
前記第２標章は、複数文字で構成される文字標章であり、当該複数文字のうち少なくとも一部の文字間隔が異なる、
ことを特徴とする上記（１）または上記（２）に記載の遊技機。
（４）前記第１標章は、複数文字で構成される文字標章であり、当該複数文字の文字サイズが略同一であり、
前記第２標章は、複数文字で構成される文字標章であり、当該複数文字のうち少なくとも一部の文字サイズが異なる、
ことを特徴とする上記（１）〜（３）のいずれかに記載の遊技機。
（５）前記第１標章は、複数文字で構成される文字標章であり、当該複数文字の文字フォントが略同一であり、
前記第２標章は、複数文字で構成される文字標章であり、当該複数文字のうち少なくとも一部の文字フォントが異なる、
ことを特徴とする上記（１）〜（４）のいずれかに記載の遊技機。
（６）前記表示手段とは異なる位置であり、かつ、遊技者が視認可能な位置に、前記第１標章および前記第２標章とは異なる第３標章が常時表示されている遊技機であって、
前記第１標章は、少なくとも第１文字と第２文字とを含む２文字以上で構成される標章であり、
前記第３標章は、少なくとも第３文字と第４文字とを含む２文字以上で構成される標章であり、
前記第１標章と前記第３標章のいずれも、発光態様が変化可能に構成されるとともに、
前記第１標章は、前記第１文字と前記第２文字とを個別に発光可能に構成され、
前記第３標章は、前記第３文字と前記第４文字とを個別に発光不能に構成された、
少なくとも非遊技期間中における第１期間においては、前記第１標章における前記第１文字と前記第２文字をともに発光させる、
ことを特徴とする上記（１）〜（５）のいずれかに記載の遊技機。
（７）前記表示手段とは異なる位置であり、かつ、遊技者が視認可能な位置に、前記第１標章および前記第２標章とは異なる第３標章が常時表示されている遊技機であって、
前記第１標章は、少なくとも第１文字と第２文字とを含む２文字以上で構成される標章であり、
前記第３標章は、少なくとも第３文字と第４文字とを含む２文字以上で構成される標章であり、
前記第１標章と前記第３標章のいずれも、発光態様が変化可能に構成されるとともに、
前記第１標章は、前記第１文字と前記第２文字とをそれぞれ異なる系統色で発光可能に構成され、
前記第３標章は、前記第３文字と前記第４文字とをそれぞれ異なる系統色で発光不能に構成され、
少なくとも非遊技期間中における第１期間においては、前記第１標章における前記第１文字と前記第２文字を同一系統色で発光させる、
ことを特徴とする上記（１）〜（６）のいずれかに記載の遊技機。
（８）前記表示手段とは異なる位置に配置され、遊技の進行における所定のタイミングで変位可能な第４標章を備えた遊技機であって、
前記第１標章は、遊技の進行タイミングに関わらずその全体像が視認可能であり、
前記第４標章は、少なくとも遊技の進行における所定のタイミングにおいては、その全体像のうち少なくとも一部が視認不能である、
ことを特徴とする上記（１）〜（７）のいずれかに記載の遊技機。